(57)【要約】【課題】  所定の配列で並べた信号を単層の伝送路で遅延を生起することなく正確且つ容易にカスケード伝送することができる信号伝送回路を提供する。【解決手段】  所定の配列で並べた階調成分Ｄ０乃至Ｄ８をそのままのビット配列で入力する駆動回路Ｄｒ１・・・と、配列が逆転するようなビット配列で入力する駆動回路Ｄｒ２・・・とを有し、これらの駆動回路Ｄｒ１，Ｄｒ２・・・を接続するカスケード伝送のための配線Ｌ０乃至Ｌ８の長さが前記各階調成分Ｄ０乃至Ｄ８間で同程度になるように奇数番目の駆動回路Ｄｒ１・・・と偶数番目の駆動回路Ｄｒ２・・・とを交互に配設する一方、駆動回路Ｄｒ１・・・はそのままのビット配列で、駆動回路Ｄｒ２・・・は配列が元に戻るように並べ替えて各駆動回路Ｄｒ１，Ｄｒ２・・・に割り当てられた信号を出力するようにした。【選択図】  図４
2006243224.tif 000002
【特許請求の範囲】
【請求項１】
所定の配列で並べた信号によって制御され、複数の回路ブロックが伝送路によって接続
されてなる回路群を備え、
前記複数の回路ブロックの各々は、前記信号に含まれる所定の信号を別の回路ブロック
に出力する機能を有し、その機能によって前記信号が前記回路群全体に供給されるよう構
成した信号伝送回路において、
前記複数の回路ブロックは、前記所定の信号が入力される際に、その信号配列を変更し
て内部に取り込む並び替え制御部を有し、
前記複数の回路ブロックは、前記所定の信号をそのままの配列で取り込む第１の回路ブ
ロックと、前記所定の信号の配列を変更して取り込む第２の回路ブロックとを含み、
前記回路群に伝送される前記信号について、各信号の配線長が同程度になるように第１
乃至第２の回路ブロックを配設する、ことを特徴とする信号伝送回路。
【請求項２】
請求項１に記載する信号伝送回路において、
前記複数の回路ブロックは、前記所定の信号の配列を逆転させて内部に取り込む機能を
持つことを特徴とする信号伝送回路。
【請求項３】
請求項１又は２に記載の信号伝送回路において、
前記第１の回路ブロックと前記第２の回路ブロックとが隣接配置されていることを特徴
とする信号伝送回路。
【請求項４】
請求項１又は２に記載の信号伝送回路において、
前記第１の回路ブロックと前記第２の回路ブロックとが所定個数単位で交互に配置され
ていることを特徴とする信号伝送回路。
【請求項５】
請求項１乃至請求項４に記載する何れか一つの信号伝送回路において、
前記第１の回路ブロック、第２の回路ブロックはガラス基板上に実装するとともに、伝
送路は単層配線として前記ガラス基板上に形成したことを特徴とする信号伝送回路。
【請求項６】
請求項１乃至請求項４に記載する何れか一つの信号伝送回路において、
前記伝送路は単層で形成するとともに、前記第１の回路ブロック及び第２の回路ブロッ
クは印刷基板上に形成したことを特徴とする信号伝送回路。
【請求項７】
請求項１乃至請求項６に記載する何れか一つの信号伝送回路において、
各回路ブロックは、前記信号をそのままの配列で出力する配線と、配列を並べ替えて逆
の配列で出力する配線とを有し、何れかの配線をスイッチング手段で選択して前記第１の
回路ブロック又は第２の回路ブロックとなるように構成したものであることを特徴とする
信号伝送回路。
【請求項８】
請求項１乃至請求項７に記載する何れか一つの信号伝送回路は、前記信号から駆動信号
を生成する機能を持ち、前記駆動信号によって複数の素子を駆動する駆動回路として機能
するものであることを特徴とする信号伝送回路。
【請求項９】
所定の配列で並べた信号によって制御され、複数の回路ブロックが伝送路によって接続
されてなる回路群を備え、
前記複数の回路ブロックの各々は、前記信号に含まれる第１の信号を別の回路ブロック
に出力する機能を有し、その機能によって前記信号が前記回路群全体に供給されるよう構
成した信号伝送回路において、
前記複数の回路ブロックは、前記信号に含まれる第２の信号が入力される際に、その信
号配列を変更して内部に取り込む並び替え制御部を有し、
前記複数の回路ブロックは、前記第２の信号をそのままの配列で取り込む第１の回路ブ
ロックと、前記第２の信号の配列を変更して取り込む第２の回路ブロックとを含み、
前記回路群に含まれる前記第２の信号について、各信号の配線長が同程度になるように
第１乃至第２の回路ブロックを配設する、ことを特徴とする信号伝送回路。
【請求項１０】
請求項９に記載の信号伝送回路において、
前記第１の信号と前記第２の信号とは異なる信号であることを特徴とする信号伝送回路
。
【請求項１１】
請求項９に記載の信号伝送回路において、
前記第１の信号と前記第２の信号とは同じ信号であることを特徴とする信号伝送回路。
【請求項１２】
階調信号により発光強度を制御する発光素子をマトリクス状に配設して所定の画像を表
示するように構成した電気光学装置において、
請求項１乃至請求項１１の何れか一つに記載する信号伝送回路を、前記階調信号を生成
して各発光素子を駆動する駆動回路として組み込んだことを特徴とする電気光学装置。
【請求項１３】
画像を表示する表示手段として請求項１２に記載する電気光学装置を備えたことを特徴
とする電子機器。
【請求項１４】
所定の配列で並べた信号によって制御され、複数の回路ブロックが伝送路によって接続
されてなる回路群における信号伝送方法であって、
前記複数の回路ブロックの各々は、前記信号に含まれる所定の信号を別の回路ブロック
に出力する機能を有し、その機能によって前記信号が前記回路群全体に供給されるよう構
成し、
前記複数の回路ブロックは、前記所定の信号が入力される際に、その信号配列を変更し
て内部に取り込むよう制御し、
前記複数の回路ブロックを、前記所定の信号をそのままの配列で取り込む第１の回路ブ
ロックと、前記所定の信号の配列を変更して取り込む第２の回路ブロックとに設定し、
前記回路群に伝送される前記信号について、各信号の配線長が同程度になるように第１
乃至第２の回路ブロックを配設する、ことを特徴とする信号伝送方法。
【請求項１５】
階調信号により発光強度を制御する発光素子をマトリクス状に配設して所定の画像を表
示するように構成した電気光学装置の信号伝送方法であって、
前記階調信号が各発光素子を駆動する駆動方法として、請求項１４に記載する信号伝送
方法を利用することを特徴とする電気光学装置の信号伝送方法。
【請求項１６】
所定の配列で並べた信号によって制御され、複数の回路ブロックが伝送路によって接続
されてなる回路群における信号伝送方法であって、
前記複数の回路ブロックの各々は、前記信号に含まれる第１の信号を別の回路ブロック
に出力する機能を有し、その機能によって前記信号が前記回路群全体に供給されるよう構
成し、
前記複数の回路ブロックは、前記信号に含まれる第２の信号が入力される際に、その信
号配列を変更して内部に取り込むよう制御し、
前記複数の回路ブロックを、前記第２の信号をそのままの配列で取り込む第１の回路ブ
ロックと、前記第２の信号の配列を変更して取り込む第２の回路ブロックとに設定し、
前記回路群に含まれる前記第２の信号について、各信号の配線長が同程度になるように
第１乃至第２の回路ブロックを配設する、ことを特徴とする信号伝送方法。
【発明の詳細な説明】
【技術分野】
【０００１】
本発明は信号伝送回路及び電気光学装置並びに電子機器に関し、特に複数ブロックに分
割した回路ブロックを単層の伝送路でカスケード接続する場合に適用して有用なものであ
る。
【背景技術】
【０００２】
液晶表示装置に代わる電気光学装置として、有機発光ダイオード素子（以下、ＯＬＥＤ
素子と称する。）を備えた装置が注目されている。ＯＬＥＤ（Organic Light Emitting D
iode）素子は、電気的にはダイオードのように動作し、光学的には、順バイアス時に発光
して順バイアス電流の増加にともなって発光輝度が増加する。
【０００３】
ＯＬＥＤ素子をマトリクス状に配列した電気光学装置は、複数の走査線と、複数のデー
タ線を備え、走査線とデータ線の交差部に対応して画素回路が設けられている。すなわち
、マトリクス状に配設した画素回路で表示部である画素領域を形成している。ここで、画
素回路は、データ線から供給される電流の値を記憶し、記憶した電流値に対応する駆動電
流をＯＬＥＤ素子に供給する機能を有する。
【０００４】
かかる電気光学装置においては、複数のデータ線に対して表示すべき階調に応じた電流
信号である階調信号を各々供給するデータ線駆動回路を設けている。ここで、当該電気光
学装置の画素領域が大型化した場合、そのデータ線駆動回路は、通常複数の回路ブロック
に分割するとともに、階調データ（階調信号を生成するためのデジタルデータ。以下同じ
。）の伝送路を各回路ブロック内に備え、回路ブロックを介して階調データを順次伝達す
るカスケード伝送方式が採用されることがある。
【０００５】
かかるカスケード伝送方式を採用する従来技術に係る電気光学装置の模式図を図１４に
示す。同図に示すように、当該電気光学装置において、ガラス基板である電気光学基板１
上には、画像領域Ａ及びデータ線駆動回路２００が形成されている。
【０００６】
画像領域Ａは、画素となる電気光学素子をマトリクス状に配設してなり、表示部として
機能する領域である。データ線駆動回路２００は複数の回路ブロックである駆動回路Ｄｒ
１乃至ＤｒＮからなり、各駆動回路Ｄｒ１乃至ＤｒＮは隣接するもの同士を接続して、制
御回路３００が送出するＸ転送開始パルスＤＸ、Ｘクロック信号ＸＣＬＫ、階調データＤ
のカスケード伝送を行うように構成してある。
【０００７】
階調データＤは、各画素の発光輝度に対応したデジタルデータであり、それぞれ各画素
の輝度を表す階調を情報として含むようビット単位の階調成分Ｄ０乃至Ｄ８を所定の配列
で並べた、例えば９ビットの信号である。階調成分Ｄ０乃至Ｄ８は、図１６に示すように
、Ｘ転送開始パルスＤＸ、Ｘクロック信号ＸＣＬＫに同期して伝送される。このとき、カ
スケード伝送方式の場合にはＸ転送開始パルスＤＸは駆動回路Ｄｒ１にのみ供給され、駆
動回路Ｄｒ２乃至ＤｒＮは、直前に隣接する駆動回路ＤｒからＸ転送開始パルスを受け取
る構成が一般的である。図１６においては、例えば、駆動回路Ｄｒ１が駆動回路Ｄｒ２に
対して供給するＸ転送開始パルスをＤＸ１ｔｏ２、駆動回路Ｄｒ２が駆動回路Ｄｒ３に対
して供給するＸ転送開始パルスをＤＸ２ｔｏ３、と表記している。Ｘ転送開始パルスを受
け取った駆動回路Ｄｒは、そのタイミングで与えられる階調データＤを自身のものと認識
して内部に取り込む仕組みである。
【０００８】
また、Ｘクロック信号ＸＣＬＫと階調データＤは制御回路３００から供給され、伝送路
６００を介して前段の駆動回路Ｄｒから後段の駆動回路Ｄｒへと順次伝達されていく。
【０００９】
ここで、電気光学基板１をガラス基板で形成した場合、ガラス基板の配線は歩留まり、
コスト等を考慮すると単層配線が望ましい。単層配線を前提にすると、各階調データＤを
カスケード伝送する場合の伝送路６００の配線Ｌ０乃至Ｌ８は、例えば図１５に示すよう
に、階調成分Ｄ０を伝送する配線Ｌ０は常に短く、階調成分Ｄ８を伝送する配線Ｌ８は常
に長くなる等、各階調成分Ｄ０乃至Ｄ８毎の伝送路長にバラツキを生起する。
【００１０】
この結果、配線Ｌ０乃至Ｌ８の寄生容量、抵抗等の電気的特性の違いに起因して各階調
成分Ｄ０乃至Ｄ８毎の伝送遅延時間が異なってしまう。すなわち、信号スキューを生起す
る。階調成分Ｄ０乃至Ｄ８等で信号スキューが発生すると、階調成分Ｄ０乃至Ｄ８の取り
込みタイミングが合わず誤動作の一因となる。
【００１１】
かかる階調成分Ｄ０乃至Ｄ８の伝送遅延のバラツキに起因する問題を解決するものとし
て特許文献１に開示する技術がある。これは、カスケード伝送の際の配線抵抗等により生
じる遅延量の違いが積算されるのを防ぐため、階調データ相当の信号を駆動回路Ｄｒ内部
で一旦同期を取った後出力するようにしたものである。
【００１２】
かかる従来技術によれば、確かに各階調成分Ｄ０乃至Ｄ８の遅延量を揃えることはでき
るが、各駆動回路Ｄｒの出力段に個別に同期化回路を設ける必要がある。かかる同期化回
路は通常フリップフロップ回路で構成するが、この種のフリップフロップ回路は比較的大
きな面積を占有し、階調成分の増大に伴って装置全体の小型化の障害になる。また、構造
が複雑になるという問題もある。
【００１３】
【特許文献１】特開２００１−１７４７８５号公報
【発明の開示】
【発明が解決しようとする課題】
【００１４】
本発明は、上記従来技術に鑑み、固有の情報を含むよう所定のビット配列で並べた信号
を単層の伝送路で遅延を生起することなく正確且つ容易にカスケード伝送することができ
る信号伝送回路、これを有する電気光学装置、これを有する電子機器、信号伝送方法及び
電子光学装置の信号伝送方法を提供することを目的とする。
【課題を解決するための手段】
【００１５】
上記課題を解決するための本発明の第１の態様に係る信号伝送回路は、
所定の配列で並べた信号によって制御され、複数の回路ブロックが伝送路によって接続
されてなる回路群を備え、
前記複数の回路ブロックの各々は、前記信号に含まれる所定の信号を別の回路ブロック
に出力する機能を有し、その機能によって前記信号が前記回路群全体に供給されるよう構
成した信号伝送回路において、
前記複数の回路ブロックは、前記所定の信号が入力される際に、その信号配列を変更し
て内部に取り込む並び替え制御部を有し、
前記複数の回路ブロックは、前記所定の信号をそのままの配列で取り込む第１の回路ブ
ロックと、前記所定の信号の配列を変更して取り込む第２の回路ブロックとを含み、
前記回路群に伝送される前記信号について、各信号の配線長が同程度になるように第１
乃至第２の回路ブロックを配設する、ことを特徴とする。
【００１６】
本発明の第２の態様に係る信号伝送回路は、上記第１の態様に係る信号伝送回路におい
て、
前記複数の回路ブロックは、前記所定の信号の配列を逆転させて内部に取り込む機能を
持つことを特徴とする。
【００１７】
本発明の第３の態様に係る信号伝送回路は、上記第１又は２の態様に係る信号伝送回路
において、
前記第１の回路ブロックと前記第２の回路ブロックとが隣接配置されていることを特徴
とする。
【００１８】
本発明の第４の態様に係る信号伝送回路は、上記第１又は２の態様に係る信号伝送回路
において、
前記第１の回路ブロックと前記第２の回路ブロックとが所定個数単位で交互に配置され
ていることを特徴とする。
【００１９】
本発明の第５の態様に係る信号伝送回路は、上記第１乃至４の態様に係る何れか一つの
信号伝送回路において、
前記第１の回路ブロック、第２の回路ブロックはガラス基板上に実装するとともに、伝
送路は単層配線として前記ガラス基板上に形成したことを特徴とする。
【００２０】
本発明の第６の態様に係る信号伝送回路は、上記第１乃至４の態様に係る何れか一つの
信号伝送回路において、
前記伝送路は単層で形成するとともに、前記第１の回路ブロック及び第２の回路ブロッ
クは印刷基板上に形成したことを特徴とする。
【００２１】
本発明の第７の態様に係る信号伝送回路は、上記第１乃至６の態様に係る何れか一つの
信号伝送回路において、
各回路ブロックは、前記信号をそのままの配列で出力する配線と、配列を並べ替えて逆
の配列で出力する配線とを有し、何れかの配線をスイッチング手段で選択して前記第１の
回路ブロック又は第２の回路ブロックとなるように構成したものであることを特徴とする
。
【００２２】
本発明の第８の態様に係る信号伝送回路は、上記第１乃至７の態様に係る何れか一つの
信号伝送回路が、前記信号から駆動信号を生成する機能を持ち、前記駆動信号によって複
数の素子を駆動する駆動回路として機能するものであることを特徴とする。
【００２３】
本発明の第９の態様に係る信号伝送回路は、
所定の配列で並べた信号によって制御され、複数の回路ブロックが伝送路によって接続さ
れてなる回路群を備え、
前記複数の回路ブロックの各々は、前記信号に含まれる第１の信号を別の回路ブロック
に出力する機能を有し、その機能によって前記信号が前記回路群全体に供給されるよう構
成した信号伝送回路において、
前記複数の回路ブロックは、前記信号に含まれる第２の信号が入力される際に、その信
号配列を変更して内部に取り込む並び替え制御部を有し、
前記複数の回路ブロックは、前記第２の信号をそのままの配列で取り込む第１の回路ブ
ロックと、前記第２の信号の配列を変更して取り込む第２の回路ブロックとを含み、
前記回路群に含まれる前記第２の信号について、各信号の配線長が同程度になるように
第１乃至第２の回路ブロックを配設する、ことを特徴とする。
【００２４】
本発明の第１０の態様に係る信号伝送回路は、上記第９の態様に係る信号伝送回路にお
いて、
前記第１の信号と前記第２の信号とは異なる信号であることを特徴とする。
【００２５】
本発明の第１１の態様に係る信号伝送回路は、上記第９の態様に係る信号伝送回路にお
いて、
前記第１の信号と前記第２の信号とは同じ信号であることを特徴とする。
【００２６】
本発明の第１２の態様に係る電気光学装置は、
階調信号により発光強度を制御する発光素子をマトリクス状に配設して所定の画像を表
示するように構成した電気光学装置において、
上記第１乃至１１の態様の何れか一つに記載する信号伝送回路を、前記階調信号を生成
して各発光素子を駆動する駆動回路として組み込んだことを特徴とする。
【００２７】
本発明の第１３の態様に係る電子機器は、
画像を表示する表示手段として上記第１２の態様に記載する電気光学装置を備えたこと
を特徴とする。
【００２８】
本発明の第１４の態様に係る信号伝送方法は、
所定の配列で並べた信号によって制御され、複数の回路ブロックが伝送路によって接続
されてなる回路群における信号伝送方法であって、
前記複数の回路ブロックの各々は、前記信号に含まれる所定の信号を別の回路ブロック
に出力する機能を有し、その機能によって前記信号が前記回路群全体に供給されるよう構
成し、
前記複数の回路ブロックは、前記所定の信号が入力される際に、その信号配列を変更し
て内部に取り込むよう制御し、
前記複数の回路ブロックを、前記所定の信号をそのままの配列で取り込む第１の回路ブ
ロックと、前記所定の信号の配列を変更して取り込む第２の回路ブロックとに設定し、
前記回路群に伝送される前記信号について、各信号の配線長が同程度になるように第１
乃至第２の回路ブロックを配設する、ことを特徴とする。
【００２９】
本発明の第１５の態様に係る電気光学装置の信号伝送方法は、
階調信号により発光強度を制御する発光素子をマトリクス状に配設して所定の画像を表
示するように構成した電気光学装置の信号伝送方法であって、
前記階調信号が各発光素子を駆動する駆動方法として、上記第１４の態様に記載する信
号伝送方法を利用することを特徴とする。
【００３０】
本発明の第１６の態様に係る信号伝送方法は、
所定の配列で並べた信号によって制御され、複数の回路ブロックが伝送路によって接続
されてなる回路群における信号伝送方法であって、
前記複数の回路ブロックの各々は、前記信号に含まれる第１の信号を別の回路ブロック
に出力する機能を有し、その機能によって前記信号が前記回路群全体に供給されるよう構
成し、
前記複数の回路ブロックは、前記信号に含まれる第２の信号が入力される際に、その信
号配列を変更して内部に取り込むよう制御し、
前記複数の回路ブロックを、前記第２の信号をそのままの配列で取り込む第１の回路ブ
ロックと、前記第２の信号の配列を変更して取り込む第２の回路ブロックとに設定し、
前記回路群に含まれる前記第２の信号について、各信号の配線長が同程度になるように
第１乃至第２の回路ブロックを配設する、ことを特徴とする。
【発明を実施するための最良の形態】
【００３１】
以下、本発明の実施の形態を図面に基づき詳細に説明する。なお、本実施の形態の説明
は例示であり、本発明の構成は以下の説明に限定されない。
【００３２】
＜第１の実施の形態＞
図１は本発明の第１の実施の形態に係る電気光学装置Ｉの概略構成を示すブロック図で
ある。同図に示すように、電気光学装置Ｉは、画像領域Ａ、走査線駆動回路１００、デー
タ線駆動回路２００、制御回路３００及び電源回路５００を備える。これらのうち、画像
領域Ａ、走査線駆動回路１００及びデータ線駆動回路２００はガラス基板である電気光学
基板１上に形成してある。また、画像領域Ａには、Ｘ方向と平行にｍ本の走査線１０１及
びｍ本の発光制御線１０２が形成され、さらにＸ方向と直交するＹ方向と平行にｎ本のデ
ータ線１０３が形成されている。そして、走査線１０１とデータ線１０３との各交差点に
対応してＯＬＥＤ素子を含む画素回路４００が各々設けられている。各画素回路４００に
は、電源電圧Ｖｄｄが電源線Ｌを介して供給される。
【００３３】
走査線駆動回路１００は、複数の走査線１０１を順次選択するための走査信号Ｙ１、Ｙ
２、Ｙ３、…、Ｙｍを生成すると共に発光制御信号Ｖｇ１、Ｖｇ２、Ｖｇ３、…、Ｖｇｍ
を生成する。走査信号Ｙ１〜Ｙｍ及び発光制御信号Ｖｇ１〜ＶｇｍはＹ転送開始パルスＤ
ＹをＹクロック信号ＹＣＬＫに同期して順次転送することにより生成される。発光制御信
号Ｖｇ１、Ｖｇ２、Ｖｇ３、…、Ｖｇｍは、各発光制御線１０２を介して各画素回路４０
０に各々供給される。
【００３４】
図２に走査信号Ｙ１〜Ｙｍと発光制御信号Ｖｇ１〜Ｖｇｍのタイミングチャートの一例
を示す。走査信号Ｙ１は、１垂直走査期間（１Ｆ）の最初のタイミングから、１水平走査
期間（１Ｈ）に相当する幅のパルスであって、１行目の走査線１０１に供給される。以降
、このパルスを順次シフトして、２、３、…、ｍ行目の走査線１０１の各々に走査信号Ｙ
２、Ｙ３、…、Ｙｍとして供給する。一般的にｉ（ｉは、１≦ｉ≦ｍを満たす整数）行目
の走査線１０１に供給される走査信号ＹｉがＨレベルになると、当該走査線１０１が選択
されたことを示す。また、発光制御信号Ｖｇ１、Ｖｇ２、Ｖｇ３、…、Ｖｇｍとしては、
例えば、走査信号Ｙ１、Ｙ２、Ｙ３、…、Ｙｍの論理レベルを反転した信号を用いる。
【００３５】
データ線駆動回路２００は、出力階調データＤｏｕｔに基づいて、選択された走査線１
０１に位置する画素回路４００の各々に対し階調成分Ｄ０乃至Ｄ８に基づき生成した階調
信号を供給する。この例において、階調成分Ｄ０乃至Ｄ８は階調輝度を指示する電流信号
Ｘ１、Ｘ２、Ｘ３、Ｘ４、…、Ｘｎとして再生される。また、階調成分Ｄ０乃至Ｄ８は、
各画素に対応した数のデジタルデータである前記出力階調データＤｏｕｔの構成要素であ
り、それぞれ各画素の輝度を表す階調を情報として含むようビット単位の信号を所定の配
列で並べた、例えば９ビットの信号である。
【００３６】
制御回路３００は、Ｙクロック信号ＹＣＬＫ、Ｘクロック信号ＸＣＬＫ、Ｘ転送開始パ
ルスＤＸ、Ｙ転送開始パルスＤＹ等の各種の制御信号を生成してこれらを走査線駆動回路
１００及びデータ線駆動回路２００へ出力する。また、制御回路３００は、外部から供給
される入力階調データＤｉｎにガンマ補正等の画像処理を施して出力階調データＤｏｕｔ
を生成する。この出力階調データＤｏｕｔは、例えば９ビットの階調成分Ｄ０乃至Ｄ８を
所定の配列で並べたものである。
【００３７】
次に、画素回路４００について説明する。図３に、画素回路４００の回路図を示す。同
図に示す画素回路４００は、ｉ行目の対応するものであり、電源電圧Ｖｄｄが供給される
。画素回路４００は、４個のＴＦＴ４０１〜４０４と、容量素子４１０と、ＯＬＥＤ素子
４２０とを備える。ＴＦＴ４０１〜４０４の製造プロセスでは、レーザーアニールショッ
トを利用してガラス基板の上にポリシリコン層が形成される。また、ＯＬＥＤ素子４２０
は、陽極と陰極との間に発光層が挟持されている。そして、ＯＬＥＤ素子４２０は、順方
向電流に応じた輝度で発光する。発光層には、発光色に応じた有機ＥＬ（Electrolumines
cence）材料が用いられる。発光層の製造プロセスでは、インクジェット方式のヘッドか
ら有機ＥＬ材料を液滴として吐出し、これを乾燥させている。
【００３８】
駆動トランジスタであるＴＦＴ４０１はｐチャネル型、スイッチングトランジスタであ
るＴＦＴ４０２〜４０４はｎチャネル型である。ＴＦＴ４０１のソース電極は電源線Ｌに
接続される一方、そのドレイン電極はＴＦＴ４０３のドレイン電極、ＴＦＴ４０４のドレ
イン電極及びＴＦＴ４０２のソース電極にそれぞれ接続される。
【００３９】
容量素子４１０の一端はＴＦＴ４０１のソース電極に接続される一方、その他端は、Ｔ
ＦＴ４０１のゲート電極及びＴＦＴ４０２のドレイン電極にそれぞれ接続される。ＴＦＴ
４０３のゲート電極は走査線１０１に接続され、そのソース電極は、データ線１０３に接
続される。また、ＴＦＴ４０２のゲート電極は走査線１０１に接続される。一方、ＴＦＴ
４０４のゲート電極は発光制御線１０２に接続され、そのソース電極はＯＬＥＤ素子４２
０の陽極に接続される。ＴＦＴ４０４のゲート電極には、発光制御線１０２を介して発光
制御信号Ｖｇｉが供給される。なお、ＯＬＥＤ素子４２０の陰極は、画素回路４００のす
べてに対して共通の電極であり、電源における低位（基準）電位となっている。
【００４０】
このような構成において、走査信号ＹｉがＨレベルになると、ｎチャネル型ＴＦＴ４０
２がオン状態となるので、ＴＦＴ４０１は、ゲート電極とドレイン電極とが互いに接続さ
れたダイオードとして機能する。走査信号ＹｉがＨレベルになると、ｎチャネル型ＴＦＴ
４０３も、ＴＦＴ４０２と同様にオン状態となる。この結果、データ線駆動回路２００の
電流Ｉdataが、電源線Ｌ→ＴＦＴ４０１→ＴＦＴ４０３→データ線１０３という経路で流
れるとともに、そのときに、ＴＦＴ４０１のゲート電極の電位に応じた電荷が容量素子４
１０に蓄積される。
【００４１】
走査信号ＹｉがＬレベルになると、ＴＦＴ４０３、４０２はともにオフ状態となる。こ
のとき、ＴＦＴ４０１のゲート電極における入力インピーダンスは極めて高いので、容量
素子４１０における電荷の蓄積状態は変化しない。ＴＦＴ４０１のゲート・ソース間電圧
は、電流Ｉdataが流れたときの電圧に保持される。また、走査信号ＹｉがＬレベルになる
と、発光制御信号ＶｇｉがＨレベルとなる。このため、ＴＦＴ４０４がオンし、ＴＦＴ４
０１のソース・ドレイン間には、そのゲート電圧に応じた注入電流Ｉoledが流れる。詳細
には、この電流は、電源線Ｌ→ＴＦＴ４０１→ＴＦＴ４０４→ＯＬＥＤ素子４２０という
経路で流れる。
【００４２】
ここで、ＯＬＥＤ素子４２０に流れる注入電流Ｉoledは、ＴＦＴ４０１のゲート・ソー
ス間電圧で定まるが、その電圧は、Ｈレベルの走査信号Ｙｉによって電流Ｉdataがデータ
線１０３に流れたときに、容量素子４１０によって保持された電圧である。このため、発
光制御信号ＶｇｉがＨレベルになったときに、ＯＬＥＤ素子４２０に流れる注入電流Ｉol
edは、直前に流れた電流Ｉdataに略一致する。このように画素回路４００は、電流Ｉdata
によって発光輝度を規定することから、電流プログラム方式の回路である。
【００４３】
本形態は、データ線駆動回路２００の構成に特徴を有するものであり、図４にこのデー
タ線駆動回路２００の内部の構成を示す。同図に示すように、本形態におけるデータ線駆
動回路２００は、各階調信号に対応する固有の情報を含むよう所定のビット配列で並べた
階調成分Ｄ０乃至Ｄ８を、カスケード接続した複数の回路ブロックである駆動回路Ｄｒ１
，Ｄｒ２・・・が後段の駆動回路Ｄｒに伝送する構成である。
【００４４】
なお、図４内の駆動回路Ｄｒは、図５に示すような電流生成回路を含んでいる。電流生
成回路は、データ線１０３に供給する電流信号Ｘｊ（ｊは、１≦ｊ≦ｎを満たす整数）を
生成する回路である。電流生成回路は階調指示信号Ｄ０Ｉ乃至Ｄ８Ｉによって電流信号Ｘ
ｊの値を設定する。ここで、階調指示信号Ｄ０Ｉ乃至Ｄ８Ｉは、駆動回路Ｄｒに外部より
供給される階調成分Ｄ０乃至Ｄ８に対応するものであり、後述する並べ替え制御部から出
力される。
【００４５】
さて、ここで、図４における配線Ｌ０乃至Ｌ８はガラス基板である電気光学基板１上に
単層配線として形成してある。したがって、配線Ｌ０乃至Ｌ８のパターンそのものは図１
５に示す従来技術に係るものと同様である。ただ、駆動回路Ｄｒ１，Ｄｒ２・・・につい
ては、例えばシリコンＩＣ、等で構成すれば配線の多層化が容易である。そこで、駆動回
路Ｄｒ１，Ｄｒ２・・・内部で配線の入れ替えなどを行うことにより、ガラス基板上の配
線Ｌ０乃至Ｌ８の配線長が、データ線駆動回路２００全体で略均一となるように構成した
。しかしこのとき、各階調成分Ｄ０乃至Ｄ８に配線Ｌ０乃至Ｌ８をそれぞれ対応させた場
合、各階調成分Ｄ０乃至Ｄ８を伝送する配線Ｌ０乃至Ｌ８の位置は偶数番目の駆動回路Ｄ
ｒ２・・・で逆転する。すなわち、奇数番目の駆動回路Ｄｒ１・・・には正規の配列で各
階調成分Ｄ０乃至Ｄ８が入力されるが、偶数番目の駆動回路Ｄｒ２・・・では逆の配列で
各階調成分Ｄ０乃至Ｄ８が入力される。したがって、奇数番目の駆動回路Ｄｒ１・・・で
は各階調成分Ｄ０乃至Ｄ８をそのまま出力すれば良いが、偶数番目の駆動回路Ｄｒ２・・
・では各階調成分Ｄ０乃至Ｄ８の配列が元に戻るような並べ替えを行って出力する必要が
ある。こうした問題を解決するため、各駆動回路Ｄｒ１，Ｄｒ２・・・は並べ替え制御部
Ｃ１，Ｃ２・・・を有している。
【００４６】
図６に並べ替え制御部Ｃ１，Ｃ２・・・の回路例を示す。並べ替え制御部Ｃ１，Ｃ２・
・・は、階調成分Ｄ０乃至Ｄ８をそのままのビット配列で出力する配線と、配列を並べ替
えて逆のビット配列で出力する配線とを有し、何れかの配列をスイッチング手段で選択す
る構造になっている。図６では各階調成分Ｄ０乃至Ｄ８に対応して並列に接続した２本の
配線を用意しておき、各配線の途中にスイッチング手段としてのｎチャンネルＦＥＴとｐ
チャンネルＦＥＴとを接続するとともに、各ゲートに並べ替え制御信号を共通に供給して
スイッチング動作をさせることにより並べ替えを行わないモードと並べ替えを行うモード
との何れかに対応する配線を選択させることができ、これにより各階調成分Ｄ０乃至Ｄ８
の配列変更を実現できる。つまり、並べ替え制御信号が“Ｌ”のときは階調成分Ｄ０乃至
Ｄ８がそのまま階調指示信号Ｄ０Ｉ乃至Ｄ８Ｉに対応（並べ替えなし）、並べ替え制御信
号が“Ｈ”のときは階調成分Ｄ０乃至Ｄ８の配列を逆並びにした信号が階調指示信号Ｄ０
Ｉ乃至Ｄ８Ｉに対応（並べ替えあり）することになる。なお、並べ替え制御信号の生成方
法としては、例えば、図７に示すように、各駆動回路Ｄｒ毎に並べ替え制御端子を設けて
、並べ替え制御端子の両隣に“Ｌ”レベル、“Ｈ”レベルを出力する端子を配置し、並べ
替え制御端子を一方の隣接端子と接続する方法がある。
【００４７】
ここで、各駆動回路Ｄｒのうち、奇数番目のＤｒを並べ替え：無効に設定し、偶数番目
のＤｒを並べ替え：有効に設定した例について説明する。この例の場合、図４及び図８に
示すように、制御回路３００が送出する出力階調データＤｏｕｔの成分である階調成分Ｄ
０乃至Ｄ８は、奇数番目の駆動回路Ｄｒ１・・・にはそのままの配列で入力する。一方、
偶数番目の駆動回路Ｄｒ２・・・には逆配列で入力する。かかる配列調整を交互に行いつ
つ各階調成分Ｄ０乃至Ｄ８を隣接する駆動回路Ｄｒ２・・・に順次カスケード伝送する。
この結果、各階調成分Ｄ０乃至Ｄ８をカスケード伝送する際の配線Ｌ０乃至Ｌ８の長さが
前記各階調成分Ｄ０乃至Ｄ８の各ビット間で同程度になるように調整することができる。
したがって、各階調成分Ｄ０乃至Ｄ８の伝送路長のバラツキに起因する遅延のバラツキを
生起することはなく、信号読み込みのタイミングのズレ等の不都合を未然に防止し得る。
この結果、カスケード伝送の際の信号スキュー等を生起することはなく、信号の取り込み
タイミングのずれによる誤動作を未然に防止し得る。
【００４８】
一方、奇数の駆動回路Ｄｒ１・・・からはそのままのビット配列で、偶数の駆動回路Ｄ
ｒ２からは逆転したビット配列を元に戻して各駆動回路Ｄｒ１，駆動回路Ｄｒ２・・・に
それぞれ割り当てられた各階調成分Ｄ０乃至Ｄ８を正規の配列で出力する。この結果、前
記各階調成分Ｄ０乃至Ｄ８に基づき前記画素回路４００（図１参照。）を駆動する階調信
号を良好に生成し得る。
【００４９】
＜第２の実施の形態＞
図９は本発明の第２の実施の形態に係る電気光学装置の模式図である。図１に示す第１
の実施の形態に係る電気光学装置Ｉがデータ線駆動回路２００をガラス基板である電気光
学基板１上に形成したのに対し、本形態ではデータ線駆動回路２００をフレキシブル印刷
基板（以下、ＦＰＣと表記する。）を利用して形成した、いわゆるＣＯＦ実装で形成した
点が異なる。他の構成は図１に示す第１の実施の形態に係る電気光学装置Ｉと同様である
。そこで、図１と同一部分には同一番号を付し、重複する説明は省略する。
【００５０】
図９に示すように、本形態に係る電気光学装置では、従来と同様の伝送路６００を形成
したＦＰＣの接続基板７００上に駆動回路Ｄｒ１乃至ＤｒＮを配設してなる。各駆動回路
Ｄｒ１乃至ＤｒＮは第１の実施の形態のものと同様である。すなわち、本形態に係るデー
タ線駆動回路２００は、その内部構成を図１０に示すように、各階調信号に対応する固有
の情報を含むよう所定のビット配列で並べた階調成分Ｄ０乃至Ｄ８を、カスケード接続し
た複数の回路ブロックである駆動回路Ｄｒ１，Ｄｒ２・・・が後段の駆動回路Ｄｒに伝送
する構成である。
【００５１】
かかる本形態によれば前記第１の実施の形態と同様の作用・効果を得ることができる。
【００５２】
＜他の実施の形態＞
上記第１及び第２の実施の形態において、そのままの配列で階調成分Ｄ０乃至Ｄ８を入
力する駆動回路Ｄｒ１・・・と、逆並びの配列で階調成分Ｄ０乃至Ｄ８を入力する駆動回
路Ｄｒ２・・・を１個毎に交互に切り替えたが、これに限る必要はない。並べ替えを行わ
ない駆動回路Ｄｒ１・・・を複数個まとめて集合ブロックを形成し、この集合ブロックに
隣接させて並べ替えを行う駆動回路Ｄｒ２・・・を複数個まとめた集合ブロックを形成す
るという配列でも良い。このとき、各集合ブロックを構成する駆動回路Ｄｒ１乃至ＤｒＮ
の数を一致させる必要は必ずしもない。要は、２種類の駆動回路Ｄｒ１，Ｄｒ２・・・を
交互に配設することで、結果的に階調成分Ｄ０乃至Ｄ８の伝送路長が同程度になるような
配列であれば良い。
【００５３】
また、階調成分Ｄ０乃至Ｄ８を伝送する信号伝送回路に限定する必要もない。それぞれ
固有の情報を含むよう所定のビット配列で並べた信号をカスケード伝送する場合の用途に
汎用的に適用できる。この場合、当該信号伝送回路における信号の遅延量を揃えることが
できるという作用・効果は前記第１乃至第２の実施の形態と同様に得ることができる。
【００５４】
＜応用例＞
次に、上述した実施の形態に係る電気光学装置Ｉを適用した電子機器について説明する
。図１１に、電気光学装置Ｉを適用したモバイル型のパーソナルコンピュータの構成を示
す。パーソナルコンピュータ２０００は、表示ユニットとしての電気光学装置Ｉと本体部
２０１０を備える。本体部２０１０には、電源スイッチ２００１及びキーボード２００２
が設けられている。この電気光学装置はＯＬＥＤ素子４２０を用いるので、視野角が広く
見易い画面を表示できる。
【００５５】
図１２に、電気光学装置Ｉを適用した携帯電話機の構成を示す。携帯電話機３０００は
、複数の操作ボタン３００１及びスクロールボタン３００２、並びに表示ユニットとして
の電気光学装置Ｉを備える。スクロールボタン３００２を操作することによって、電気光
学装置Ｉに表示される画面がスクロールされる。
【００５６】
図１３に、電気光学装置Ｉを適用した情報携帯端末（ＰＤＡ：Personal Digital Assis
tants）の構成を示す。情報携帯端末４０００は、複数の操作ボタン４００１及び電源ス
イッチ４００２、並びに表示ユニットとしての電気光学装置Ｉを備える。電源スイッチ４
００２を操作すると、住所録やスケジュール帳といった各種の情報が電気光学装置Ｉに表
示される。
【００５７】
さらに、フィールドエミッション素子（ＦＥＤ）、表面電動型エミッション素子（ＳＥ
Ｄ）、弾道電子放出素子（ＢＳＤ）等の自発光素子を用いた表示装置、液晶表示装置等に
も好適に適用し得る。
【００５８】
なお、電気光学装置Ｉが適用される電子機器としては、図１１乃至図１３に示すものの
他、デジタルスチルカメラ、液晶テレビ、ビューファインダ型、モニタ直視型のビデオテ
ープレコーダ、カーナビゲーション装置、ページャ、電子手帳、電卓、ワードプロセッサ
、ワークステーション、テレビ電話、ＰＯＳ端末、タッチパネルを備えた機器等などが挙
げられる。そして、これらの各種電子機器の表示部として、前述した電気光学装置が適用
可能である。また、電気光学素子を光源として利用するプリンタ等にも有効に応用するこ
とができる。
【図面の簡単な説明】
【００５９】
【図１】本発明の第１の実施の形態に係る電気光学装置を示すブロック図。
【図２】図１における走査信号と発光制御信号を示すタイミングチャート。
【図３】図１における画素回路を示す回路図。
【図４】図１におけるデータ線駆動回路の内部の構成を示すブロック図。
【図５】図４の駆動回路が有する電流生成回路を示す回路図。
【図６】図４の駆動回路が有する並べ替え制御部を示す回路図。
【図７】図４の駆動回路の並べ替え制御端子を示す説明図。
【図８】図４の駆動回路の並べ替え機能を説明する説明図。
【図９】本発明の第２の実施の形態に係る電気光学装置を示す模式図。
【図１０】図９におけるデータ線駆動回路の内部の構成を示すブロック図。
【図１１】電気光学装置を適用したモバイル型パーソナルコンピュータの斜視図。
【図１２】電気光学装置を適用した携帯電話機の構成を示す斜視図。
【図１３】電気光学装置を適用した携帯情報端末の構成を示す斜視図。
【図１４】従来技術に係る電気光学装置を示す模式図。
【図１５】図１４におけるデータ線駆動回路の内部の構成を示すブロック図。
【図１６】図１５における信号の態様を示す説明図。
【符号の説明】
【００６０】
１  電気光学基板、  １０３  データ線、  ２００  データ線駆動回路、  ３００  制御
回路、  ４００  画素回路、  ４２０  素子、  ５００  電源回路、  ６００  伝送路、
７００  接続基板、  Ｃ１，Ｃ２  並べ替え制御部、  Ｄ  階調データ、  Ｄ０〜Ｄ８
階調成分、  Ｄｒ１〜ＤｒＮ  駆動回路、  Ｉ  電気光学装置、  Ｌ０〜Ｌ８  配線
【図１】
2006243224.tif 000003
【図２】
2006243224.tif 000004
【図３】
2006243224.tif 000005
【図４】
2006243224.tif 000006
【図５】
2006243224.tif 000007
【図６】
2006243224.tif 000008
【図７】
2006243224.tif 000009
【図８】
2006243224.tif 000010
【図９】
2006243224.tif 000011
【図１０】
2006243224.tif 000012
【図１１】
2006243224.tif 000013
【図１２】
2006243224.tif 000014
【図１３】
2006243224.tif 000015
【図１４】
2006243224.tif 000016
【図１５】
2006243224.tif 000017
【図１６】
2006243224.tif 000018